(57)【特許請求の範囲】
【請求項１】
筐体内部に配置された基板上に電子部品と共に取り付けられた被操作部品を操作する操作釦装置であって、
前記基板上に取り付けられた際に前記基板と対向する部分にフランジを有し、前記筐体に設けられた開口部に挿入され、前記被操作部品に操作力を与える操作釦を備え、
前記操作釦は、前記筐体の開口部より外部に露出する上面および側面部に、前記筐体表面に形成された金属を含む表面処理層と同様な表面処理層を前記筐体表面の表面処理と同時に形成してなり、
前記筐体と前記フランジとの間に間隙を有する、
操作釦装置。
【請求項２】
前記筐体と前記操作釦は、非電導性樹脂材料で構成されたことを特徴とする請求項１記載の操作釦装置。
【請求項３】
筐体内部に配置された基板上に電子部品と共に取り付けられた被操作部品を操作する操作釦装置の釦表面処理方法であって、
前記基板上に取り付けられた際に前記基板と対向する部分にフランジを有し、前記被操作部品に操作力を与える操作釦を、前記筐体と前記フランジとの間に間隙を有するように取り付け、
前記操作釦を前記筐体に設けられた開口部に挿入するとともに当該筐体に係止した状態で、前記操作釦の前記筐体の開口部より外部に露出する上面および側面部を、前記筐体表面と同時に金属を含む表面処理を施したことを特徴とする操作釦装置の釦表面処理方法。
【発明の詳細な説明】
【０００１】
【発明の属する技術分野】
本発明は、電子機器の操作釦装置に関わり、特に操作釦に金属を含む表面処理を施した場合であっても、人体に帯電された静電気により電子部品が破壊される危険がなく、操作釦近傍にも電子部品を配置できる操作釦装置に関するものである。
【０００２】
【従来の技術】
従来より、電子機器の筐体に開口部を設け、当該開口部に操作釦を挿入して、その操作釦を操作することによって筐体内部に設けられた被操作部品に操作力を与える構成とした操作釦装置が一般的に用いられている。また、これらの筐体と操作釦を生産性と造形性に優れた非導電性樹脂材料で形成し、高級感のある金属を含む表面処理を施すことも一般的である。
【０００３】
かかる従来の操作釦装置について図５を用いて説明する。図５は従来の操作釦装置の断面図である。
【０００４】
１１は従来の操作釦装置を備えた電子機器、１２は当該電子機器の筐体前面を構成するパネルである。このパネル１２は非導電性樹脂材料で成形されており、開口部１２ａ設けられている。パネル１２は外面に金属粉体を含む塗装が施されており、太線で示す１２ｃが塗装皮膜を表している。また、開口部１２ａには操作釦１３が挿入され、この操作釦１３の後背部には被操作部品であるタクトスイッチ１５が、電子部品である集積回路１６ともにプリント配線基板１４に実装されて取り付けられている。
【０００５】
操作釦１３は、操作部１３ａ、嵌合孔１３ｂ、スイッチ押圧部１３ｄ、および図示しないヒンジ部からなっており、嵌合孔１３ｂがパネル１２の裏面に突出しているピン１２ｂに嵌入されることにより操作釦１３はパネル１２に係止されている。操作釦１３の開口部１２ａより外部に露出する部分が操作部１３ａである。操作部１３ａの背面にはスイッチ押圧部１３ｄが形成され、操作釦１３の後背部に設けられたタクトスイッチ１５に対峙している。前記ヒンジ部は嵌合孔１３ｂ近傍に形成された溝状の肉薄部であり、このヒンジ部の弾性により操作部１３ａは押圧操作に対して適度な復元力を伴って後退しタクトスイッチ１５を押下するようになっている。
【０００６】
この操作釦１３もパネル１２と同様に非導電性樹脂材料で成形さるとともに金属粉体を含む塗装が施されており、太線で示す１３ｅが塗装皮膜を表している。パネル１２と操作釦１３の塗装は、それぞれ部品単体で吹き付け塗装を行っており、パネル１２においては外部に露出する面全体、すなわち太線で示す範囲が塗装皮膜１２ｃで覆われている。操作釦１３においてはプリント配線基板１４側の面を除くすべての表面、すなわち太線で示す範囲が塗装皮膜１３ｅで覆われている。
【０００７】
【発明が解決しようとする課題】
このような操作釦装置においては、静電気を帯電した操作者が操作釦を押圧した場合に、その電荷が塗装に含まれる金属粉体により操作釦の表面全体に伝わり、操作釦近傍の電子部品を破壊する危険があるため、操作釦近傍には電子部品を配置できない問題があった。
【０００８】
本発明は、操作釦に金属を含む表面処理を施した場合であっても、人体に帯電された静電気により操作釦近傍の電子部品が破壊される危険を除き、操作釦近傍にも電子部品を配置することができる操作釦装置を提供することを目的としてなされたものである。
【０００９】
【課題を解決するための手段】
この課題を解決するために本発明の操作釦装置は、筐体内部に配置された基板上に電子部品と共に取り付けられた被操作部品を操作する操作釦装置であって、前記基板上に取り付けられた際に前記基板と対向する部分にフランジを有し、前記筐体に設けられた開口部に挿入され、前記被操作部品に操作力を与える操作釦を備え、前記操作釦は、前記筐体の開口部より外部に露出する上面および側面部に、前記筐体表面に形成された金属を含む表面処理層と同様な表面処理層を前記筐体表面の表面処理と同時に形成してなり、前記筐体と前記フランジとの間に間隙を有するものである。
【００１０】
これにより、操作釦に形成された金属を含む表面処理層が、開口部より筐体内に隠蔽される部分には形成されていないため、人体に帯電された静電気の電荷が操作釦の表面全体に伝わらず、静電気により電子部品が破壊される危険がなくなり、操作釦近傍にも電子部品を配置することができる。
【００１１】
【発明の実施の形態】
本発明の請求項１に記載の操作釦装置は、筐体内部に配置された基板上に電子部品と共に取り付けられた被操作部品を操作する操作釦装置であって、前記基板上に取り付けられた際に前記基板と対向する部分にフランジを有し、前記筐体に設けられた開口部に挿入され、前記被操作部品に操作力を与える操作釦を備え、前記操作釦は、前記筐体の開口部より外部に露出する上面および側面部に、前記筐体表面に形成された金属を含む表面処理層と同様な表面処理層を前記筐体表面の表面処理と同時に形成してなり、前記筐体と前記フランジとの間に間隙を有するものである。
【００１２】
これにより、操作釦に形成された金属を含む表面処理層が、開口部より筐体内に隠蔽される部分には形成されていないため、人体に帯電された静電気の電荷が操作釦の表面全体に伝わらず、静電気により電子部品が破壊される危険がなくなり、操作釦近傍にも電子部品を配置することができる。
【００１３】
請求項２に記載の発明は、請求項１に記載の操作釦装置において、前記筐体と前記操作釦は、非電導性樹脂材料で構成されたことを特徴とする。
【００１４】
これにより、請求項１の効果に加えて操作釦を構成樹脂材料の非電導性のため、人体に帯電された静電気の電荷が操作釦の表面全体に伝わらず、静電気により電子部品が破壊される危険がなくなり、操作釦近傍にも電子部品を配置することができる。
【００１５】
本発明の請求項３に記載の操作釦装置の釦表面処理方法は、筐体内部に配置された基板上に電子部品と共に取り付けられた被操作部品を操作する操作釦装置の釦表面処理方法であって、前記基板上に取り付けられた際に前記基板と対向する部分にフランジを有し、前記被操作部品に操作力を与える操作釦を、前記筐体と前記フランジとの間に間隙を有するように取り付け、前記操作釦を前記筐体に設けられた開口部に挿入するとともに当該筐体に係止した状態で、前記操作釦の前記筐体の開口部より外部に露出する上面および側面部を、前記筐体表面と同時に金属を含む表面処理を施したことを特徴とする。
【００１６】
これにより、筐体表面と同時に、操作釦における筐体の開口部より外部に露出する上面および側面部に金属を含む表面処理を施すことができ、塗装作業が簡略化されると共に、操作釦に形成された金属を含む表面処理層が、開口部より筐体内に隠蔽される部分には形成されていないため、人体に帯電された静電気の電荷が操作釦の表面全体に伝わらず、静電気により電子部品が破壊される危険がなくなり、操作釦近傍にも電子部品を配置することができる。
【００１７】
以下本発明の実施の形態について、図１から図５を用いて説明する。
【００１８】
（実施の形態）
図１は本発明の一実施の形態の操作釦装置の正面図、図２は図１のＡ−Ａ断面図、図３は図１のＢ−Ｂ断面図、図４は図１の操作釦装置における操作釦の斜視図である。図４において(a)はパネル側から見た操作釦の斜視図を示し、(ｂ)はプリント配線基板側から見た操作釦の斜視図を示している。
【００１９】
１は本発明の一実施の形態による操作釦装置を備えた電子機器である。２は当該電子機器の筐体前面を構成するパネルであり、非導電性樹脂材料で形成され、操作釦３が挿入される開口部２ａ設けられている。３は操作釦であり、非導電性樹脂材料で形成され、操作部３ａ、嵌合孔３ｂ、ヒンジ部３ｃ、スイッチ押圧部３ｄからなっている。操作部３ａは、操作釦３における開口部２ａから外部に露出する部分で、操作釦３の上面とその近傍の側面で外部に露出している部分を指す。
嵌合孔３ｂはパネル２の裏面に突出しているピン２ｂに嵌入され、操作釦３がパネル２に係止される部分である。ヒンジ部３ｃは嵌合孔３ｂ近傍に形成された溝状の肉薄部であり、このヒンジ部３ｃの弾性により操作部３ａは押圧操作に対して適度な復元力を伴って後退するようになっている。スイッチ押圧部３ｄは操作部３ａの背面に形成され、操作釦３の後背部に設けられるタクトスイッチ５を押圧する部分である。
【００２０】
４はプリント配線基板であり、被操作部品であるタクトスイッチ５と電子部品である集積回路６が実装されており、プリント配線基板４をパネル２に取り付けた際に、操作釦３のスイッチ押圧部３ｄの後背部にタクトスイッチ５が位置するように、部品配列が成されている。
【００２１】
つづいてパネル２および操作釦３の塗装の手順について説明する。
【００２２】
それぞれ未塗装のパネル２および操作釦３を、パネル２の裏面に突出しているピン２ｂに嵌合孔３ｂを嵌入して係止する。このときヒンジ部３ｃの弾性により操作部３ａが開口部２ａから外部に露出する。プリント配線板４をパネルに未だ取り付けないこの状態で、パネル２の外面をを操作釦３とともに金属粉体を含む塗装を施す。このときパネル２の内面、すなわち組立後に電子機器１の内部となる面は塗装を施さない。
【００２３】
この塗装によりパネル２においては外面側の全体、すなわち図２〜３に太線で示す範囲が塗装皮膜２ｃで覆われる。また、操作釦３においてはパネル２の開口部２ａより外部に露出する上面および側面部、すなわち図２〜３に太線で示す操作部３ａの範囲が塗装皮膜３ｅで覆われ、パネル２の開口部２ａより内部に隠蔽される部分、すなわち操作部３ａ以外には塗装皮膜３ｅが形成されない。操作釦３の開口部２ａより内部に隠蔽される部分であって開口部２ａの近傍、すなわち太点線で示す箇所には塗装時に開口部２と操作釦３の隙間からわずかに吹き込んで付着した金属粉体を含む塗料を表している。塗装完了後に、タクトスイッチ５と集積回路６が実装されたプリント配線基板４をパネル２に取り付ける。
【００２４】
以上のように構成された操作釦装置について、以下その動作について説明する。
【００２５】
図示しない操作者が、指先で操作部３ａを押圧した場合には、ヒンジ部３ｃが弾性変形し操作部３ａが後退するとともに、操作部３ａの背面に形成されたスイッチ押圧部３ｄがタクトスイッチ５を押下する。前記操作者が、操作部３ａから指先を離した場合には、ヒンジ部３ｃの弾性により操作部３ａが押圧前の位置まで前進するとともに、操作部３ａの背面に形成されたスイッチ押圧部３ｄがタクトスイッチ５から離れる。
【００２６】
前記操作者が静電気を帯電した状態において、その指先で操作部３ａを押圧した場合、前記操作者が帯電している電荷が操作釦３の塗装皮膜３ｅに伝わる。しかしパネル２の開口部２ａより内部に隠蔽される部分には、操作釦３の開口部２ａの近傍にわずかに金属粉体を含む塗料があるのみで、操作部３ａ以外には塗装皮膜３ｅが形成されない。このため、操作者に帯電された静電気の電荷がパネル２の開口部２ａより内部に伝わることがく、操作釦３近傍にも集積回路６などの電子部品を配置することができる。
【００２７】
以上のように本発明によれば、パネル２の同時に操作釦３に塗装が施され塗装作業が簡略化されるとともに、操作釦３に金属粉体を含む塗装を施した場合であっても、人体に帯電された静電気により集積回路６が破壊される危険がなくなり、操作釦３近傍にも集積回路６などの電子部品を配置することができる。
【００２８】
なお、本実施形態ではパネル２および操作釦３に施す表面処理を金属粉体を含む塗装の例で示したが、金属蒸着やスパッタリングなどで金属を含む表面処理を施してもよく、パネル２の同時に操作釦３に表面処理層が形成され表面処理作業が簡略化されるとともに、操作釦３に金属を含む表面処理を施した場合であっても、人体に帯電された静電気により集積回路６が破壊される危険がなくなり、操作釦３近傍にも集積回路６などの電子部品を配置することができる。
【００２９】
【発明の効果】
以上のように本発明によれば、筐体表面と同時に操作釦に表面処理層が形成され表面処理作業が簡略化されるとともに、操作釦に金属を含む表面処理を施した場合であっても、人体に帯電された静電気により電子部品が破壊される危険がなくなり、操作釦近傍にも電子部品を配置できる操作釦装置が実現されるものである。
【図面の簡単な説明】
【図１】本発明の一実施の形態の操作釦装置の正面図
【図２】図１のＡ−Ａ断面図
【図３】図１のＢ−Ｂ断面図
【図４】図１の操作釦装置における操作釦の斜視図
【図５】従来の操作釦装置の断面図
【符号の説明】
１    電子機器
２    パネル
２ａ  開口部
２ｂ  ピン
２ｃ  塗装皮膜
３    操作釦
３ａ  操作部
３ｂ  嵌合孔
３ｃ  ヒンジ部
３ｄ  スイッチ押圧部
３ｅ  塗装皮膜
４    プリント配線基板
５    タクトスイッチ
６    集積回路
【図１】
0003826634.tif 000002
【図２】
0003826634.tif 000003
【図３】
0003826634.tif 000004
【図４】
0003826634.tif 000005
【図５】
0003826634.tif 000006